(57)【要約】【課題】雨樋のメンテナンスを行いやすい蓋付き雨水桝を施工する方法を提供する。【解決手段】  蓋付き雨水桝１ａは、地中９０に埋設された四角筒状の桝本体２０と、桝本体２０の上方に開口した上部開口２３を塞ぐ蓋体１１０とを備え、蓋体１１０は、遮光性で、雨樋３０が貫通する程度の開口の切り欠き１９を備えている。蓋付き雨水桝１ａを施工する方法は、桝本体２０の上部開口２３の蓋体１０の切り欠き１９が配置される位置に雨樋３０が挿入された状態にすることと、切り欠き１９が雨樋３０を囲むように蓋体１１０を取り付けることとを含む。【選択図】図３
2013023845.tif 000002
【特許請求の範囲】
【請求項１】
雨樋からの排水が流入する蓋付き雨水桝の施工方法であって、
前記蓋付き雨水桝の桝本体の上部開口に設置される蓋体は、遮光性で、前記雨樋が貫通する程度の開口の切り欠きを含み、
当該施工方法は、
前記桝本体の前記上部開口の前記蓋体の切り欠きが配置される位置に前記雨樋が挿入された状態にすることと、
前記切り欠きが前記雨樋を囲むように前記蓋体を取り付けることとを含む、施工方法。
【請求項２】
請求項１において、
前記蓋体は、単板で、周縁の一部に前記切り欠きが設けられており、
前記雨樋が挿入された状態にすることは、前記上部開口の周縁の近傍に前記雨樋が挿入された状態にすることを含む、施工方法。
【請求項３】
請求項１または２において、
前記上部開口は、多角形であり、
前記蓋体は、多角形で、少なくとも１つの角部に前記切り欠きが設けられており、
前記雨樋が挿入された状態にすることは、前記上部開口の周縁の角部に前記雨樋が挿入された状態にすることを含む、施工方法。
【請求項４】
雨樋からの排水が流入する蓋付き雨水桝の遮光性の蓋体であって、
前記雨樋が貫通する程度に開口の大きさが限定された切り欠きを含む、蓋体。
【請求項５】
請求項４において、
当該蓋体は、単板で、前記蓋付き雨水桝の桝本体の上部開口に設置されており、
前記切り欠きは、当該蓋体の周縁に配置されている、蓋体。
【請求項６】
請求項４または５において、
当該蓋体は、多角形であり、
前記切り欠きは、当該蓋体の周縁の辺部の中央に配置されている、蓋体。
【請求項７】
請求項４または５において、
当該蓋体は、多角形であり、
前記切り欠きは、当該蓋体の周縁の角部に配置されている、蓋体。
【請求項８】
請求項４ないし７のいずれかにおいて、
前記切り欠きは、当該蓋体の上面の側から下面の側に向けてテーパー状に狭まっている、蓋体。
【請求項９】
請求項４ないし８のいずれかに記載の蓋体と、
前記蓋体が設置される上部開口を含む桝本体とを有する蓋付き雨水桝。
【発明の詳細な説明】
【技術分野】
【０００１】
本発明は、雨樋からの排水が流入する蓋付き雨水桝の施工方法に関するものである。
【背景技術】
【０００２】
特許文献１には、雨水浸透桝に関し、桝本体に流入したゴミやドロによる導出孔の目詰まりを防止しつつ、桝本体から雨水を地中に勢いよく排水することで浸透率の向上を図った雨水浸透桝を提供することが記載されている。そのため、特許文献１には、桝本体の側壁上部に雨水を導入する導入管が取り付き、桝本体の下部に桝本体を支持する底版塊が取り付くと共に、桝本体の側壁と底版塊に、雨水を地中に浸透させる複数の導出孔が設けられた雨水浸透桝に於て、上記桝本体の側壁に設ける導出孔を、桝本体の内面から外面へ向けて順次拡開し、且つ下方に傾斜した断面卵形状の導出孔とし、また、雨水浸透桝に於て、底版塊に設ける導出孔を、底版塊の内面から外面へ向けて順次拡開する断面卵形状の導出孔としたことが記載されている。
【先行技術文献】
【特許文献】
【０００３】
【特許文献１】特開２００４−１６９２９５号公報
【発明の概要】
【発明が解決しようとする課題】
【０００４】
雨水浸透桝などの雨水を貯留および／または浸透させる設備では、桝本体に雨水を導入する雨樋などの導入管に詰まった異物を取り除くことが行われることがあるが、特許文献１に開示された技術においては、導入管が桝本体の側壁に取り付けられているため、地中に埋設された導入管を掘り起こしてから清掃を含めたメンテナンスを行う必要があり手間がかかる。その一方で、建物の美観を損なわないように雨樋が雨水桝に接続されていることが要望されている。
【課題を解決するための手段】
【０００５】
本発明の態様の１つは、雨樋からの排水が流入する蓋付き雨水桝の施工方法である。蓋付き雨水桝の桝本体の上部開口に設置される蓋体は、遮光性で、雨樋が貫通する程度の開口の切り欠きを含み、当該施工方法は、桝本体の上部開口の蓋体の切り欠きが配置される位置に雨樋が挿入された状態にすることと、切り欠きが雨樋を囲むように蓋体を取り付けることとを含む。
【０００６】
この方法は、蓋付き雨水桝を施工する際に、切り欠きを備えた蓋体を用いることにより、切り欠きが雨樋を囲むように蓋体を取り付けることができる。このため、桝本体の上部開口から雨樋を桝本体に挿入できるので、桝本体の側壁から雨樋を挿入したり、雨樋を地中配管したりする必要がない。したがって、地中配管に伴う手間やコストを省くことができ、蓋体の取り付けだけでなく取り外しも簡単に行うことができるので、雨樋および／または雨水桝のメンテナンスを行いやすい。さらに、蓋体の切り欠きは雨樋を貫通させる程度の開口であるので、この切り欠きを雨樋によりほぼ占有できる。このため、蓋体全体の遮光性は維持できるので、上部開口からゴミや泥などの異物が入り込むことを抑制し、桝本体内での藻や草の発生や、臭気の発生も抑制できる。
【０００７】
蓋体は、単板で、周縁の一部に切り欠きが設けられており、雨樋が挿入された状態にすることは、上部開口の周縁の近傍に雨樋が挿入された状態にすることを含むことが望ましい。上部開口は、多角形であり、蓋体は、多角形で、少なくとも１つの角部に切り欠きが設けられており、雨樋が挿入された状態にすることは、上部開口の周縁の角部に雨樋が挿入された状態にすることを含むことが望ましい。この方法は、雨樋が上部開口の角部の近傍に挿入された状態にしてから、切り欠きが雨樋を囲むように蓋体を取り付けるので、上部開口の角部を有効に利用して蓋付き雨水桝を施工できる。
【０００８】
本発明の異なる態様の１つは、雨樋からの排水が流入する蓋付き雨水桝の遮光性の蓋体であって、雨樋が貫通する程度に開口の大きさが限定された切り欠きを含む蓋体である。この蓋体は、雨樋が貫通する程度に開口の大きさが限定された切り欠きを備えているので、切り欠きに雨樋を挿入することにより、雨樋を地中配管することなく、雨樋からの排水を桝本体に導くことができる。
【０００９】
蓋体は、単板で、蓋付き雨水桝の桝本体の上部開口に設置されており、切り欠きは、蓋体の周縁に配置されていることが望ましい。切り欠きが蓋体の周縁に配置されているので、簡単に、蓋体の取り付けおよび取り外しを行うことができ、雨樋および／または雨水桝のメンテナンスを行いやすい。
【００１０】
蓋体は、多角形であり、切り欠きは、蓋体の周縁の辺部の中央に配置されていることが望ましい。桝本体の上部開口が多角形で、雨樋が上部開口の辺部の中央に配置されるタイプの蓋付き雨水桝を施工するのに適している。蓋体は、多角形であり、切り欠きは、蓋体の周縁の角部に配置されていることがさらに望ましい。桝本体の上部開口が多角形で、雨樋が上部開口のいずれかの角部に配置されるタイプの蓋付き雨水桝を施工するのに適している。切り欠きは、蓋体の上面の側から下面の側に向けてテーパー状に狭まっていることが望ましい。
【００１１】
本発明のさらに異なる態様の１つは、上記蓋体と、蓋体が設置される上部開口を含む桝本体とを有する蓋付き雨水桝である。
【図面の簡単な説明】
【００１２】
【図１】蓋付き雨水桝を模式的に示した断面図。
【図２】第１の実施形態に係る蓋体を示した斜視図。
【図３】異なる蓋付き雨水桝を模式的に示した断面図。
【図４】図４（ａ）は第２の実施形態に係る蓋体をセットする前の工程を示した図、図４（ｂ）は第２の実施形態に係る蓋体をセットする工程を示した図。
【図５】図５（ａ）は第３の実施形態に係る蓋体をセットする前の工程を示した図、図５（ｂ）は第３の実施形態に係る蓋体をセットする工程を示した図。
【図６】異なる蓋付き雨水桝を模式的に示した斜視図。
【図７】図７（ａ）は第４の実施形態に係る蓋体を上方向から示した斜視図、図７（ｂ）は第４の実施形態に係る蓋体を下方向から示した斜視図。
【図８】蓋体のバリエーションを示した平面図。
【発明を実施するための形態】
【００１３】
図１に、本発明に係る蓋付き雨水桝１の概要を模式的に示している。蓋付き雨水桝１は、地中９０に埋設された四角筒状の桝本体２０と、桝本体２０の上方に開口した平面視四角形状の上部開口２３に設置される蓋体（桝蓋）１０とを備えている。本例の蓋付き雨水桝１は、家屋（建物、建屋）４０の周囲に設けられた犬走り４１の外側に設置されている。蓋付き雨水桝１は、桝本体２０の側壁に多孔が設けられていたり、桝本体２０の底壁がなく桝本体２０が浸透式で雨水を貯留および浸透する設備としての機能を備えていてもよく、あるいは、桝本体２０が非浸透式で他の貯留浸透設備と浸透管（地中配管）などによりつながり雨水を地中９０に流したり、公共排水に雨水を流したりするものであってもよい。
【００１４】
桝本体２０は、上下方向を除く前後左右の４方を覆うコンクリート製の側壁２２（２２ａ〜２２ｄ）と、側壁２２ａ〜２２ｄにより囲まれた中空の第１の領域２１とを備えている。側壁２２ａ〜２２ｄのそれぞれには、方形状の複数の孔２９が設けられており、上部開口２３には、蓋体１０を支持する蓋受け部２３ａが設けられている。桝本体２０は、基礎材として敷設した砂質土層９１の上方に敷き詰めた透水性の砕石層９２により周囲を覆われている。砂質土層９１および砕石層９２の周囲には、土砂の浸入（逆流）による目詰まりを抑制するために透水シート９３が設けられている。
【００１５】
桝本体２０の上部開口２３を塞ぐ蓋体１０は、全体が遮光性（非透光性）かつ非透水性のコンクリート製であり、ほぼ中央に、雨樋３０が貫通する程度の開口の孔部１９ｈを備えている。蓋体１０の孔部１９ｈには、家屋４０に併設された雨樋３０が挿入されている。雨樋３０は、家屋４０の外壁４３に沿って地表面９４に垂直に延びる縦樋（竪樋）３０ａと、エルボ管３１を介して地表面９４に平行に延びる呼び樋（横樋）３０ｂと、蓋体１０の切り欠き１９に挿入される縦樋３１ａとを備えている。
【００１６】
家屋４０の屋根４２から流下した雨水を含む排水は、雨樋３０の縦樋３０ａ、横樋３０ｂおよび縦樋３１ａを経由して、桝本体２０の第１の領域２１に導かれる。第１の領域２１において一時的に貯留された排水は、桝本体２０の下方に開口した下部開口２８および／または側壁２２の複数の孔２９から砕石層９２に浸透し、砕石層９２から徐々に地中（地下）９０に排出される。雨樋３０のサイズの一例は、一般住宅用では直径が４０−６０ｍｍであり、集合住宅または工場用では７０−１１０ｍｍである。なお、本明細書において遮光性とは、蓋体１０の上面１１の側から下面１２の側を視認することができず、下面１２の側から上面１１の側を視認することができないことをいう。
【００１７】
図２に、蓋付き雨水桝１に用いられる第１の実施形態に係る蓋体１０の概要を斜視図により示している。この蓋体１０は、同一形状の２つの片蓋体１０ａを備えている。片蓋体１０ａは、全体が遮光性（非透光性）かつ非透水性のコンクリート製であり、周縁１４の辺部の中央に、上下方向に貫通する平面視半円形状の切り欠き１９を備えている。蓋体１０の孔部１９ｈは、２つの片蓋体１０ａの切り欠き１９を組み合わせることにより形成されている。なお、蓋体１０は、単板で、中央を貫通する平面視円形状の孔部１９ｈを備えていてもよい。
【００１８】
２つの片蓋体１０ａを組み合わせた蓋体１０は、平面視正方形状であり、上面１１と、下面１２と、上面１１および下面１２を上下方向に接続する４つの側面１３（１３ａ〜１３ｄ）とを備えている。さらに、蓋体１０は、中央を貫通する平面視円形状の孔部１９ｈと、対向する側面１３ｂおよび１３ｄのそれぞれの中央を切り欠いた平面視台形状の取っ手（手掛け）１８とを備えている。上面１１と側面１３との接続部分は面取り加工されている。平面視円形状の孔部１９ｈのサイズの一例は、直径６３−８０ｍｍであり、蓋体１０の上面１１のサイズの１０％以下であることが好ましい。平面視台形状の取っ手１８のサイズの一例は、上底の長さが５−６ｃｍであり、下底の長さが５−６ｃｍであり、高さが５−６ｃｍである。本例の蓋体１０は、全体が遮光性かつ非透水性のコンクリート製であるが、蓋体１０の材質はこれに限定されず、全体が遮光性であれば、ポーラスコンクリートなどの多孔質のコンクリート製、樹脂製、鋳鉄製であってもよい。蓋体１０は、鋳鉄製よりも安価なコンクリート製または樹脂製であることが好ましい。
【００１９】
図１に示すように、この蓋付き雨水桝１は、蓋体１０に切り欠き１９を組み合わせた孔部１９ｈが設けられているので、孔部１９ｈに雨樋３０を挿入することにより、排水を桝本体２０の第１の領域（中空領域、貯留領域）２１に導くことができる。このため、桝本体２０の側壁２２を削孔して、雨樋３０を削孔した側壁２２から挿入するために地中９０に配管させる必要がなく、地中配管に伴う手間やコストを省くことができる。さらに、雨樋３０を地中９０に埋設させないので、雨樋３０に詰まった落ち葉や泥などの異物を取り除く際にも雨樋３０を地中９０から掘り起こす必要がなく、清掃を含めた種々のメンテナンスに伴う手間やコストを省くことができる。また、雨樋３０を地中９０に埋設させないので、寒冷地の凍結した地表面や舗装された箇所において雨樋を地中から掘り起こす手間やコストを省くことができる。
【００２０】
この蓋付き雨水桝１は、蓋体１０の孔部１９ｈに雨樋３０が挿入されているので、雨樋３０のエルボ管３１を外したり、蓋体１０を上方向に持ち上げて外したりすることにより、地上で簡単に、雨樋３０および／または桝本体２０のメンテナンスを行うことができる。桝本体２０のメンテナンスを行う際には、外した蓋体１０を呼び樋３０ｂに吊り掛ける（引っ掛ける）ようにしてもよい。さらに、雨樋３０を地中９０に埋設させないので、地中で使用する場合よりも雨樋３０の厚みや強度を小さくでき、安価な雨樋３０を使用しやすい。
【００２１】
この蓋付き雨水桝１は、蓋体１０の孔部１９ｈに雨樋３０が挿入されているので、雨樋３０から排出される排水を桝本体２０の第１の領域２１に確実に導くことができる。このため、雨樋３０から排出された排水が風などにより吹き上げられ、排水が周囲に散らばることを抑制できる。さらに、蓋体１０は遮光性かつ非透水性であるため、いったん第１の領域２１に排出された排水が風などにより吹き上げられ、蓋体１０の下面１２から上面１１に向けて漏れ出すことも抑制できる。
【００２２】
この蓋付き雨水桝１は、蓋体１０が遮光性かつ非透水性であり、孔部１９ｈを除いて上面１１および下面１２を貫通する取水（集水）のための開口はなく、さらに、孔部１９ｈには雨樋３０が挿入されているので、この蓋体１０により桝本体２０の上部開口２３をほとんど隙間のない状態で塞ぐことができる。このため、上部開口２３からゴミや泥などの異物が入り込むことを抑制でき、さらに、ネズミや害虫などが侵入することも抑制できる。さらに、桝本体２０に落ち葉が詰まった場合や、桝本体２０に他の設備を接続して雑排水が混入した場合であっても、臭気が上昇して地上に漏れ出すことを抑制できる。
【００２３】
図１および図２に示すように、孔部１９ｈを形成する切り欠き１９は、蓋体１０の上面１１の側から下面１２の側に向けてテーパー状に狭まっている。すなわち、蓋体１０の４つの側面１３（１３ａ〜１３ｄ）は、上面１１よりも下面１２の方の面積が小さくなる方向（順テーパ）に形成されているのに対して、切り欠き１９は、上面１１よりも下面１２の方の面積が大きくなる方向（逆テーパー）に形成されている。このため、雨樋３０と上面１１との間の隙間１１ａよりも、雨樋３０と下面１２との間の隙間１２ａの方を小さくできるので、地表面９４からゴミや泥などが入り込むことを抑制できる。さらに、雨樋３０はメンテナンスの際の出し入れを含めて切り欠き１９との接触により傷付く可能性があるが、隙間１１ａを大きくすることにより上面１１に接触する確率を低下させ、隙間１２ａを小さくすることにより下面１２に接触する確率を向上させることができるので、雨樋３０の塗料の剥がれなどの損傷（痛み）を地上から目立たないようにできる。
【００２４】
図３に、異なる蓋付き雨水桝１ａの概要を模式的に示している。蓋付き雨水桝１ａは、地中９０に埋設された四角筒状の桝本体２０と、桝本体２０の上方に開口した平面視四角形状の上部開口２３に設置される蓋体１１０とを備えている。図３は、蓋付き雨水桝１ａを、家屋４０の犬走り４１が設けられていない位置で外壁４３に沿って設置した状態を示している。なお、この蓋付き雨水桝１ａは、図１のように犬走り４１の外側に設置することも可能であり、さらに、犬走り４１の有無にかかわらず、雨樋３０と接続できる位置であれば、家屋４０に対して様々な位置に設置できる。以下で説明する蓋付き雨水桝においても同様である。また、以降の実施形態において上記実施形態と共通の構成については、共通の符号を付して説明を省略する。
【００２５】
蓋体１１０は、単板で、全体が遮光性かつ非透水性のコンクリート製であり、周縁（外周）１４の一部に、雨樋３０が貫通する程度に開口の大きさが限定された切り欠き１９を備えている。本例の蓋付き雨水桝１ａは、家屋４０の外壁４３に近接して配置されており、さらに、蓋体１１０の切り欠き１９が外壁４３の側、すなわち雨樋３０の側を向くように、蓋体１１０が取り付けられている。このため、上記実施形態とは異なり、外壁４３に沿って延びる縦樋３０ａにより、排水を桝本体２０の第１の領域２１にストレートに導くことができ、エルボ管３１や呼び樋３０ｂを接続する手間やコストを省くことができる。さらに、この蓋付き雨水桝１ａは、蓋体１１０の切り欠き１９が周縁１４に配置されているので、簡単に、蓋体１１０の取り付けおよび取り外しを行うことができる。このため、雨樋３０および／または桝本体２０のメンテナンスを行いやすい。
【００２６】
蓋体１１０の切り欠き１９は、蓋体１１０の上面１１の側から下面１２の側に向けて真っ直ぐ（ストレート）に形成されているが、上面１１よりも下面１２の方の面積が小さくなる方向（順テーパー）に形成されていてもよい。
【００２７】
図４に、第２の実施形態に係る蓋体１１０を用いて蓋付き雨水桝１ａを施工する方法を示しており、図４（ａ）は蓋体１１０を桝本体２０に取り付ける前の工程を示した図であり、図４（ｂ）は蓋体１１０を桝本体２０に取り付ける工程を示した図である。
【００２８】
図４（ａ）に示すように、この蓋体１１０も、平面視正方形状であり、上面１１と、下面１２と、上面１１および下面１２を上下方向に接続する４つの側面１３（１３ａ〜１３ｄ）とを備えている。さらに、蓋体１１０は、周縁１４の辺部１４ａの中央、すなわち側面１３ａの中央を切り欠いた平面視正方形状の切り欠き１９と、上面１１および下面１２のそれぞれの中央を上下方向に貫通する平面視長方形状（扁円形状、楕円形状）の取っ手１８とを備えている。切り欠き１９は、１つの側面１３ａを切り欠いて形成した３つの側面１９ａ〜１９ｃにより囲まれるように設けられている。平面視正方形状の切り欠き１９の平面視開口サイズは、蓋体１１０の上面１１のサイズの１０％以下であることが好ましい。以降においても同様である。平面視長方形状の取っ手１８のサイズの一例は、短辺の長さが２−３ｃｍであり、長辺の長さが５−６ｃｍである。
【００２９】
桝本体２０は、家屋４０の外壁４３に沿って地表面９４に垂直に延びる雨樋３０の位置に合せて、雨樋３０が桝本体２０の第１の領域２１に挿入された状態になるように地中９０に埋設されている。本例では、雨樋３０が上部開口２３の周縁２４の近傍に配置されるように、とくに雨樋３０が外壁４３の側の側壁２２ａのほぼ中央に配置されるように、桝本体２０の第１の領域２１に挿入されている。このように、蓋付き雨水桝１ａを施工する方法は、上部開口２３の周縁２４の近傍に雨樋３０が挿入された状態にすること（第１の工程）を含む。なお、第１の工程では、外壁４３に沿って下ろされた雨樋３０の位置に合せて、第１の領域２１に雨樋３０が挿入されるように桝本体２０を埋設してもよく、あるいは、埋設された桝本体２０の位置に合せて、第１の領域２１に雨樋３０が挿入されるように外壁４３に沿って雨樋３０を下ろしてもよい。
【００３０】
図４（ｂ）に示すように、雨樋３０は、外壁４３の側の側壁２２ａのほぼ中央に配置されるように、桝本体２０の第１の領域２１に挿入されている。さらに、蓋体１１０は、切り欠き１９が周縁１４の辺部１４ａの中央に配置されている。このため、蓋体１１０の辺部１４ａを外壁４３の側、すなわち側壁２２ａの側に向けることにより、切り欠き１９が雨樋３０を囲むように蓋体１１０を取り付けること（第２の工程）ができる。
【００３１】
この蓋付き雨水桝１ａを施工する方法は、切り欠き１９が周縁１４に設けられた蓋体１１０を用いることにより、雨樋３０を囲むように蓋体１１０を取り付けることができるので、簡単に蓋付き雨水桝１ａを施工できる。このため、桝本体２０の側壁２２を削孔して、雨樋３０を削孔した側壁２２から挿入するために地中９０に配管させる必要がなく、地中配管に伴う手間やコストを省くことができる。さらに、切り欠き１９が周縁１４に設けられた蓋体１１０を用いることにより、蓋体１１０の取り付けだけでなく取り外しも簡単に行うことができるので、雨樋３０および／または桝本体２０のメンテナンスを行いやすい蓋付き雨水桝１ａを提供できる。
【００３２】
この蓋付き雨水桝１ａを施工する方法は、切り欠き１９が周縁１４に設けられた蓋体１１０を用いることにより、雨樋３０を囲むように蓋体１１０を取り付けることができるので、雨樋３０から排出される排水を桝本体２０の第１の領域２１に確実に導く蓋付き雨水桝１ａを施工できる。このため、雨樋３０から排出された排水が風などにより吹き上げられ、排水が周囲に散らばることを抑制する蓋付き雨水桝１ａを提供できる。さらに、蓋体１１０は遮光性かつ非透水性であるため、いったん第１の領域２１に排出された排水が風などにより吹き上げられ、蓋体１１０の下面１２から上面１１に向けて漏れ出すことも抑制する蓋付き雨水桝１ａを提供できる。
【００３３】
この蓋付き雨水桝１ａを施工する方法は、雨樋３０が上部開口２３の周縁２４の近傍に挿入された状態にしてから（第１の工程）、切り欠き１９が雨樋３０を囲むように蓋体１１０を取り付けるので（第２の工程）、桝本体２０の上部開口２３をほとんど隙間のない状態で塞ぐことができる。このため、上部開口２３からゴミや泥などの異物が入り込むことを抑制し、さらに、ネズミや害虫などが侵入することも抑制する蓋付き雨水桝１ａを提供できる。さらに、桝本体２０に落ち葉が詰まった場合や、桝本体２０に他の設備を接続して雑排水が混入した場合であっても、臭気が上昇して地上に漏れ出すことを抑制する蓋付き雨水桝１ａを提供できる。
【００３４】
このように、本例の蓋体１１０は、切り欠き１９が周縁１４の辺部１４ａ〜１４ｄの中央に設けられているので、桝本体２０の上部開口２３が四角形で、雨樋３０が桝本体２０のいずれかの側壁２２ａ〜２２ｄのほぼ中央に配置されるタイプの蓋付き雨水桝１ａを施工するのに適している。さらに、この蓋体１１０は、切り欠き１９が１つの側面１３ａを切り欠いて３つの側面１９ａ〜１９ｃにより囲まれるように設けられているので、雨樋３０の全周（外周）を囲む第１の実施形態に係る蓋体１０とは異なり、雨樋３０の３方のみを囲むことができる。このため、蓋体１１０の取り付けおよび／または取り外しの際に、雨樋３０に接触する可能性のある方向を４方向から３方向に減らすことができ、接触面積を減少させやすい。
【００３５】
図５に、第３の実施形態に係る蓋体２１０を用いて蓋付き雨水桝１ａを施工する方法を示しており、図５（ａ）は蓋体２１０を桝本体２０に取り付ける前の工程を示した図であり、図５（ｂ）は蓋体２１０を桝本体２０に取り付ける工程を示した図である。
【００３６】
図５（ａ）に示すように、この蓋体２１０も、平面視正方形状であり、上面１１と、下面１２と、上面１１および下面１２を上下方向に接続する４つの側面１３（１３ａ〜１３ｄ）とを備えている。さらに、蓋体２１０は、４つの角部１５（１５ａ〜１５ｄ）のうち辺部１４ａおよび１４ｂに挟まれた角部１５ａを切り欠いた平面視円形状の切り欠き１９と、上面１１の対向する辺部１４ｂおよび１４ｄの側に上面１１に対して窪むように、かつ蓋体２１０の内部で内側に折れ曲がるように形成された１組の平面視長方形状の取っ手１８とを備えている。切り欠き１９は、２つの側面１３ａおよび１３ｂを切り欠いて形成した半円形状の側面１９ａにより囲まれるように設けられている。平面視長方形状の取っ手１８のサイズの一例は、短辺の長さが２−３ｃｍであり、長辺の長さが５−６ｃｍである。
【００３７】
桝本体２０は、家屋４０の外壁４３のコーナー部分４４に沿って地表面９４に垂直に延びる雨樋３０の位置に合せて、雨樋３０が桝本体２０の第１の領域２１に挿入された状態になるように地中９０に埋設されている。本例では、雨樋３０が上部開口２３の周縁２４の角部２５に配置されるように、とくに雨樋３０が外壁４３のコーナー部分４４の側、すなわち側壁２２ａおよび２２ｄに挟まれた角部２５ｄに配置されるように、桝本体２０の第１の領域２１に挿入されている。このように、蓋付き雨水桝１ａを施工する方法は、上部開口２３の周縁２４の角部２５ｄに雨樋３０が挿入された状態にすること（第１の工程）を含む。
【００３８】
図５（ｂ）に示すように、雨樋３０は、上部開口２３の周縁２４の角部２５ｄに配置されるように、第１の領域２１に挿入されている。さらに、蓋体２１０は、切り欠き１９が周縁１４の角部１５ａに配置されている。このため、蓋体２１０の角部１５ａを外壁４３のコーナー部分４４の側、すなわち桝本体２０の角部２５ｄの側に向けることにより、切り欠き１９が雨樋３０を囲むように蓋体２１０を取り付けること（第２の工程）ができる。
【００３９】
この蓋付き雨水桝１ａを施工する方法は、雨樋３０が上部開口２３の周縁２４の角部２５ｄに挿入された状態にしてから（第１の工程）、切り欠き１９が雨樋３０を囲むように蓋体２１０を取り付けるので（第２の工程）、桝本体２０の４つの角部２５ａ〜２５ｄを有効に利用して蓋付き雨水桝１ａを施工できる。さらに、切り欠き１９が角部１５ａに設けられた蓋体２１０を用いることにより、外壁４３のコーナー部分４４などのような狭小な箇所であっても、蓋体２１０の取り付けおよび取り外しが簡単で、メンテナンスも行いやすい蓋付き雨水桝１ａを提供できる。
【００４０】
この蓋付き雨水桝１ａを施工する方法は、切り欠き１９が周縁１４の角部１５ａに設けられた蓋体２１０を用いることにより、桝本体２０の４つの角部２５ａ〜２５ｄのいずれかに配置された雨樋３０を囲むように蓋体２１０を取り付けることができる。このため、外壁４３のコーナー部分４４に沿って下ろされた雨樋３０の位置に合せて桝本体２０を埋設すれば、雨樋３０がいずれの角部２５ａ〜２５ｄに配置されていても、蓋体２１０を回転させることにより切り欠き１９が雨樋３０を囲むように取り付けることができる。
【００４１】
このように、本例の蓋体２１０は、切り欠き１９が周縁１４の角部１５ａに設けられているので、桝本体２０の上部開口２３が四角形で、雨樋３０が桝本体２０のいずれかの角部２５ａ〜２５ｄに配置されるタイプの蓋付き雨水桝１ａを施工するのに適している。さらに、この蓋体２１０は、取っ手１８が上面１１および下面１２を上下方向に貫通していないので、切り欠き１９を除いて蓋体２１０を上下方向に貫通する開口は一切なく、この蓋体２１０により桝本体２０の上部開口２３をいっそう隙間の少ない状態で塞ぐことができる。
【００４２】
さらに、この蓋体２１０は、切り欠き１９が２つの側面１３ａおよび１３ｂを切り欠いて半円形状の１つの側面１９ａにより囲まれるように設けられているので、雨樋３０の３方を囲む第２の実施形態に係る蓋体１１０とは異なり、雨樋３０の２方あるいは片側半分のみを囲むことができる。このため、蓋体２１０の取り付けおよび／または取り外しの際に、雨樋３０に接触する可能性のある方向を３方向から少なくとも片側半分に減らすことができ、接触面積をいっそう減少させやすい。
【００４３】
図６に、第４の実施形態に係る蓋体３１０を用いて施工した蓋付き雨水桝１ｂの概要を斜視図により示している。この蓋付き雨水桝１ｂは、地中９０に埋設された円筒状の桝本体２０と、桝本体２０の上方に開口した平面視円形状の上部開口２３に設置される蓋体３１０とを備えている。
【００４４】
図７に、第４の実施形態に係る蓋体３１０の概要を斜視図により示しており、図７（ａ）は蓋体３１０を平面方向（上方向）から示した図であり、図７（ｂ）は蓋体３１０を底面方向（下方向）から示した図である。この蓋体３１０は、全体が遮光性かつ非透水性の樹脂製で、平面視円形状であり、上面１１と、下面１２と、上面１１および下面１２を上下方向に接続する側面１３とを備えている。さらに、蓋体３１０は、円周縁１４の一部、すなわち側面１３の一部を切り欠いた平面視扁円形状（楕円形状）の切り欠き１９と、上面１１に対して窪むように形成された１組の平面視長方形状の取っ手１８とを備えている。さらに、蓋体３１０は、下面１２の側に格子状のリブ１２ｒを備えている。
【００４５】
このように、本例の蓋体３１０は、切り欠き１９が円周縁１４に切り欠き状に設けられているので、桝本体２０の上部開口２３が円形で、雨樋３０が上部開口２３の周縁２４の近傍に配置されるタイプの蓋付き雨水桝１ａを施工するのに適している。さらに、この蓋体３１０は樹脂製なので、軽量であり、蓋体３１０の取り付けおよび取り外しがいっそう簡単で、メンテナンスも行いやすい蓋付き雨水桝１ａを提供できる。
【００４６】
図８に、本発明に係る蓋体のバリエーションの一例を平面図により示している。図８（ａ）〜図８（ｃ）に示すように、蓋体１１０、１１０ａおよび１１０ｂは、平面視正方形状であり、周縁１４の辺部１４ａの中央に、雨樋が貫通する程度に開口の大きさが限定された平面視正方形状の切り欠き１９を備えている。図８（ｄ）〜図８（ｆ）に示すように、蓋体１１０ｃ、１１０ｄおよび１１０ｅは、平面視正方形状であり、周縁１４の辺部１４ａの中央に、雨樋が貫通する程度に開口の大きさが限定された平面視アーチ形状の切り欠き１９を備えている。
【００４７】
図８（ａ）および図８（ｄ）に示すように、蓋体１１０および１１０ｃは、中央を上下方向に貫通する平面視長方形状（扁円形状、楕円形状）の取っ手１８を備えている。図８（ｂ）および図８（ｅ）に示すように、蓋体１１０ａおよび１１０ｄは、上面１１の対向する辺部１４ｂおよび１４ｄの側に上面１１に対して窪むように、かつ蓋体１１０ａおよび１１０ｄの内部で内側に折れ曲がるように形成された１組の平面視長方形状の取っ手１８とを備えている。蓋体１１０ｂおよび１１０ｅは、対向する側面１３ｂおよび１３ｄのそれぞれの中央を切り欠いた平面視台形状の取っ手１８を備えている。なお、図８（ａ）は本発明の第２の実施形態に係る蓋体１１０を示した図である。
【００４８】
図８（ｇ）および図８（ｈ）に示すように、蓋体２１０ａおよび２１０ｂは、平面視正方形状であり、周縁１４の角部１５ａに、雨樋が貫通する程度に開口の大きさが限定された平面視正方形状の切り欠き１９を備えている。図８（ｉ）および図８（ｊ）に示すように、蓋体２１０ｃおよび２１０は、平面視正方形状であり、周縁１４の角部１５ａに、雨樋が貫通する程度に開口の大きさが限定された平面視円形状の切り欠き１９を備えている。
【００４９】
図８（ｇ）および図８（ｉ）に示すように、蓋体２１０ａおよび２１０ｃは、中央を上下方向に貫通する平面視長方形状（扁円形状、楕円形状）の取っ手１８を備えている。図８（ｈ）および図８（ｊ）に示すように、蓋体２１０ｂおよび２１０は、上面１１の対向する辺部１４ｂおよび１４ｄの側に上面１１に対して窪むように、かつ蓋体２１０ｂおよび２１０の内部で内側に折れ曲がるように形成された１組の平面視長方形状の取っ手１８とを備えている。なお、図８（ｊ）は本発明の第３の実施形態に係る蓋体２１０を示した図である。
【００５０】
図８（ｋ）および図８（ｌ）に示すように、蓋体３１０ａおよび３１０ｂは、平面視円形状であり、周縁１４の一部に、雨樋が貫通する程度に開口の大きさが限定された平面視正方形状の切り欠き１９を備えている。図８（ｍ）および図８（ｎ）に示すように、蓋体３１０ｃおよび３１０は、平面視正方形状であり、周縁１４の一部に、雨樋が貫通する程度に開口の大きさが限定された平面視アーチ形状の切り欠き１９を備えている。
【００５１】
図８（ｋ）および図８（ｍ）に示すように、蓋体３１０ａおよび３１０ｃは、中央を上下方向に貫通する平面視長方形状（扁円形状、楕円形状）の取っ手１８を備えている。図８（ｌ）および図８（ｎ）に示すように、蓋体３１０ｂおよび３１０は、上面１１に対して窪むように形成された１組の平面視長方形状の取っ手１８とを備えている。なお、図８（ｎ）は本発明の第４の実施形態に係る蓋体３１０を示した図である。また、図８は、本発明に係る蓋体のバリエーションの一例に過ぎず、雨樋３０が貫通する程度に開口の大きさが限定された切り欠き１９を備えた遮光性の蓋体は本発明の範囲に含まれる。
【符号の説明】
【００５２】
１、１ａ、１ｂ  蓋付き雨水桝
１０、１１０、２１０、３１０  蓋体
２０  桝本体
３０  雨樋
【図１】
2013023845.tif 000003
【図２】
2013023845.tif 000004
【図３】
2013023845.tif 000005
【図４】
2013023845.tif 000006
【図５】
2013023845.tif 000007
【図６】
2013023845.tif 000008
【図７】
2013023845.tif 000009
【図８】
2013023845.tif 000010